(57)【特許請求の範囲】
【請求項１】
向かい合う２つの側面にそれぞれ通気口を備えたケースと、
前記ケースの内面形状とほぼ同じ輪郭を有し、前記ケース内に配置された弾性を有するフィルタとを備えた電機掃除機用フィルタユニットにおいて、
通気窓を備え、該通気窓が前記通気口と連通するように前記ケースの通気口を備えた第１の側面と前記フィルタとの間に配置された可動のフィルタ圧縮体とを備え、
使用者が第１の側面に向かい合う第２の側面へ向けて、前記フィルタ圧縮体を押圧すると、前記フィルタ圧縮体が移動して前記フィルタを圧縮し、
使用者が前記フィルタ圧縮体への押圧を解除すると、前記フィルタがその弾性によって復元することを特徴とする電気掃除機用フィルタユニット。
【請求項２】
開口部を有する箱型であって、該開口部に対向する第１の側面に通気口を備えたケースと、
前記ケースの内面形状とほぼ同じ輪郭を有し、前記ケース内に配置された弾性を有するフィルタとを備えた電気掃除機用フィルタユニットにおいて、
通気窓を備え、前記ケースの開口部に配置された可動のフィルタ圧縮体と、
第１の端部が、前記フィルタ圧縮体の前記フィルタとの接触面に略垂直に取り付けられ、前記ケースの第１の側面を貫通する移動可能な棒状の支柱を複数備え、
前記フィルタの前記支柱に対応する部分に設けられた穴又は切り欠きに前記支柱が位置し、
前記支柱の第１の端部に対して反対の第２の端部に抜け止め部材が取り付けられており、
使用者が前記フィルタ圧縮体を前記ケースの第１の側面へ向けて押圧すると、前記フィルタ圧縮体が前記支柱と共に移動して前記フィルタを圧縮し、
使用者が前記フィルタ圧縮体への押圧を解除すると、前記フィルタがその弾性によって復元するとともに前記抜け止め部材が前記ケースの第１の側面に当接して、前記フィルタ圧縮体が前記ケースから抜け出ることを防止することを特徴とする電気掃除機用フィルタユニット。
【請求項３】
前記フィルタ圧縮体とフィルタとの接触面と前記ケースの第１の側面との間に前記支柱に保持された弾性部材を備え、
使用者が前記フィルタ圧縮体を前記ケースの第１の側面へ向けて押圧すると、前記フィルタと共に前記弾性部材が圧縮され、
使用者が前記フィルタ圧縮体への押圧を解除すると、前記フィルタがその弾性及び前記弾性部材の弾性によって前記フィルタが復元することを特徴とする請求項２に記載の電気掃除機用フィルタユニット。
【請求項４】
前記フィルタ圧縮体が格子状部材であることを特徴とする請求項１から３のいずれか１項に記載の電気掃除機用フィルタユニット。
【請求項５】
請求項１から請求項４のいずれか１項に記載の電気掃除機用フィルタユニットを備え、本体から前記電気掃除機用フィルタユニットが着脱可能なことを特徴とする電気掃除機。
【請求項６】
前記フィルタユニットを収納するフィルタ収納室と、
前記フィルタユニットを着脱するために前記フィルタ収納室に設けられたの開口部と、
該開口部に回動自在に軸支された蓋と、
前記フィルタユニットが前記フィルタ収納室の所定位置にないとき、前記蓋が閉じることを阻止し、前記フィルタユニットが前記フィルタ収納室の所定位置にあるとき、前記蓋が閉じることを妨げないフィルタユニット検知装置を備えることを特徴とする請求項５に記載の電気掃除機。
【請求項７】
前記フィルタユニットが所定位置にないとき、本体の内部に設けられた電動送風機の運転停止及び警報の発令の一方又は両方を行うことを特徴とする請求項５又は請求項６に記載の電気掃除機。
【発明の詳細な説明】
【０００１】
【発明の属する技術分野】
本発明は、電気掃除機用フィルタの新規構造、及び、かかるフィルタを組み込む電気掃除機の構造に関する。
【０００２】
【従来の技術】
電気掃除機の集塵部、たとえば紙製集塵袋と、電動送風機との間に、もう一つ別のフィルタを配置するのが普通である。このフィルタは、紙製集塵袋から漏れた、とりわけホースとの接続部から漏れた塵埃を捕捉するという役割と、万一紙製集塵袋を取り付け忘れた場合でもここで塵埃をくい止め、電動送風機に塵埃が押し寄せるのを阻止するという役割を担う。このように紙製集塵袋の下流に別のフィルタを配置した電気掃除機の例は、特開平７−１１１９６１号公報等に見ることができる。
【０００３】
また、サイクロン集塵方式を採用している電気掃除機にあっても、吸塵力が低下して遠心力が小さくなったり、集塵カップに多量の塵埃が堆積した場合など、電動送風機に塵埃が流れる可能性があり、やはり集塵部と電動送風機の間にフィルタを配置することが必要である。
【０００４】
【発明が解決しようとする課題】
特開平７−１１１９６１号公報記載のものに代表される従来の電気掃除機にあっては、紙製集塵袋の下流のフィルタは、電気掃除機本体内の仕切壁に取付枠によって固定される。フィルタは取付枠から分離可能であり、そのため、取付枠からフィルタを分離して水洗いを行い、目詰まりの解消を図った場合など、フィルタを忘れて取付枠のみ電気掃除機本体に戻すことがあり得るが、そのような場合でも電動送風機の駆動は可能であり、塵埃がそのまま電動送風機に吸い込まれる危険性がある。集塵部として紙製集塵袋が用いられている場合、紙製集塵袋がきちんと機能していれば問題は少ないが、袋が破れていたり、甚だしくは取り付けられていないような場合には、塵埃が電動送風機に吸い込まれるのを阻止することができず、電動送風機の故障という事態にまでつながる恐れがあった。そこで本発明は、フィルタの入れ忘れを予防できる電気掃除機、また、目詰まり解消の容易なフィルタユニットの構造を提供することを目的とするものである。
【０００５】
【課題を解決するための手段】
上記目的を達成するため、本願発明の電機掃除機用フィルタでは、向かい合う２つの側面にそれぞれ通気口を備えたケースと、前記ケースの内面形状とほぼ同じ輪郭を有し、前記ケース内に配置された弾性を有するフィルタとを備えた電機掃除機用フィルタユニットにおいて、通気窓を備え、該通気窓が前記通気口と連通するように前記ケースの通気口を備えた第１の側面と前記フィルタとの間に配置された可動のフィルタ圧縮体とを備え、使用者が第１の側面に向かい合う第２の側面へ向けて、前記フィルタ圧縮体を押圧すると、前記フィルタ圧縮体が移動して前記フィルタを圧縮し、使用者が前記フィルタ圧縮体への押圧を解除すると、前記フィルタがその弾性によって復元することを特徴とする。
【０００６】
また本願発明の電機掃除機用フィルタは、開口部を有する箱型であって、該開口部に対向する第１の側面に通気口を備えたケースと、前記ケースの内面形状とほぼ同じ輪郭を有し、前記ケース内に配置された弾性を有するフィルタとを備えた電気掃除機用フィルタユニットにおいて、通気窓を備え、前記ケースの開口部に配置された可動のフィルタ圧縮体と、第１の端部が、前記フィルタ圧縮体の前記フィルタとの接触面に略垂直に取り付けられ、前記ケースの第１の側面を貫通する移動可能な棒状の支柱を複数備え、前記フィルタの前記支柱に対応する部分に設けられた穴又は切り欠きに前記支柱が位置し、前記支柱の第１の端部に対して反対の第２の端部に抜け止め部材が取り付けられており、使用者が前記フィルタ圧縮体を前記ケースの第１の側面へ向けて押圧すると、前記フィルタ圧縮体が前記支柱と共に移動して前記フィルタを圧縮し、使用者が前記フィルタ圧縮体への押圧を解除すると、前記フィルタがその弾性によって復元するとともに前記抜け止め部材が前記ケースの第１の側面に当接して、前記フィルタ圧縮体が前記ケースから抜け出ることを防止することを特徴とする。
【０００７】
また本願発明の電機掃除機用フィルタは、請求項２に記載されている電気掃除機用フィルタユニットにおいて、前記フィルタ圧縮体とフィルタとの接触面と前記ケースの第１の側面との間に前記支柱に保持された弾性部材を備え、使用者が前記フィルタ圧縮体を前記ケースの第１の側面へ向けて押圧すると、前記フィルタと共に前記弾性部材が圧縮され、使用者が前記フィルタ圧縮体への押圧を解除すると、前記フィルタがその弾性及び前記弾性部材の弾性によって前記フィルタが復元することを特徴とする。
【０００８】
また本願発明の電機掃除機用フィルタユニットは、請求項１から３のいずれか１項に記載された電気掃除機用フィルタにおいて、前記フィルタ圧縮体が格子状部材であることを特徴とする。
【０００９】
また本願発明の電機掃除機は、請求項１から請求項４のいずれか１項に記載の電気掃除機用フィルタユニットを備え、本体から前記電気掃除機用フィルタユニットが着脱可能なことを特徴とする。
【００１０】
また本願発明の電機掃除機は、請求項５に記載された電気掃除機において、前記フィルタユニットを収納するフィルタ収納室と、前記フィルタユニットを着脱するために前記フィルタ収納室に設けられたの開口部と、該開口部に回動自在に軸支された蓋と、前記フィルタユニットが前記フィルタ収納室の所定位置にないとき、前記蓋が閉じることを阻止し、前記フィルタユニットが前記フィルタ収納室の所定位置にあるとき、前記蓋が閉じることを妨げないフィルタユニット検知装置を備えることを特徴とする。
【００１１】
また本願発明の電機掃除機は、請求項５又は６に記載された電気掃除機において、前記フィルタユニットが所定位置にないとき、本体の内部に設けられた電動送風機の運転停止及び警報の発令の一方又は両方を行うことを特徴とする。
【００１２】
本発明は以上のように構成され、フィルタがケースに取り出し不能に収納されるので、フィルタなしでケースだけ電気掃除機本体に取り付けられるということがない。このようにフィルタの取り出しは不能でありながら、ケース内に配置されたフィルタ圧縮体を使ってフィルタを圧縮できるので、フィルタが目詰まりした場合、何度か圧縮を繰り返すことにより塵埃をもみ出して目詰まりを解消することができる。また、フィルタユニットが所定位置になければフィルタ収納室の蓋が閉まらなかったり、電動送風機を駆動できなかったり、警報が発せられたりするので、フィルタユニットの入れ忘れを確実に予防できる。さらに、フィルタユニットを所定位置に配置したときには吸い込まれた空気がすべてフィルタを通過することとしたので、このフィルタで捕捉すべき塵埃を確実に捕捉することができる。
【００１３】
【発明の実施の形態】
以下、本発明の実施形態を図に基づき説明する。図１において、電気掃除機１の本体１０の内部には、紙製集塵袋１１、電動送風機１２、排気フィルタ１３が配置される。電動送風機１２を駆動すると吸込口１４からホース１５を経由して空気が吸い込まれる。吸い込まれた空気は紙製集塵袋１１によって塵埃を濾過され、電動送風機１２に吸い込まれる。電動送風機１２から吐出された空気は排気フィルタ１３で最終的に清浄化された後、本体１０の排気口１６から排出される。
【００１４】
紙製集塵袋１１と電動送風機１２の間にはフィルタユニット２０が着脱可能に配置される。図２、図３にフィルタユニット２０の第一の実施形態を示す。フィルタユニット２０は硬質の合成樹脂からなるケース２１がその骨格をなす。ケース２１は正面形状正方形であり、前面（空気が入ってくる側）と後面（空気が出る側）には、それぞれ通気口２２、２３が形設されている。通気口２２、２３の外周部には、それぞれ内向きの突出縁部４５、４６が設けられている。通気口２２、２３の間にはウレタンフォーム等の通気性を有した軟質且つ弾性のある素材からなるフィルタ２４が挿入される。フィルタ２４はケース２１の内面形状とほぼ同じ形状の輪郭を有し、ケース２１に封じ込められた形になっており、通常の使用方法では取り出すことはできない。フィルタ２４は工具を使用したり、ケース２１を分解するなどの通常の使用方法以外で、取り出せる構成としてもよい。
【００１５】
通気口２３とフィルタ２４の間には、硬質の合成樹脂からなる、格子状のフィルタ圧縮体２５が配置される。フィルタ圧縮体２５は複数の通気窓２６を備え、ケース２１の内部を前後に移動可能であるが、フィルタ２４と同様、これも通常の使用方法では取り出すことはできない。フィルタ２４は通気口２２の外周部の突出縁部４５と、フィルタ圧縮体２５との間に圧縮して保持される。
【００１６】
上記フィルタユニット２０を紙製集塵袋１１と電動送風機１２の間の所定位置に配置すると、ケース２１と本体１０とが、フィルタ２４の周囲において、ゴムなどの弾性体からなるシール部材６０で封止される。すなわち紙製集塵袋１１から電動送風機１２へと向かう気流の通路において、フィルタ２４がその間唯一の空気通路を構成し、吸い込まれた空気はすべてフィルタ２４を通過する。従って、紙製集塵袋、とりわけホース１５との接続部から漏れた塵埃はフィルタ２４により捕捉される。
【００１７】
フィルタ２４の目詰まりがひどくなったときはフィルタユニット２０を本体１０から取り出し、図３に示すようにフィルタ圧縮体２５を押してフィルタ２４を圧縮する。フィルタ圧縮体２５から手を離せば、フィルタ圧縮体２５はフィルタ２４の弾性により図２の位置に復元する。この操作を繰り返すことにより、フィルタ２４の中から塵埃がもみ出される。水中でこれを行えば一層効果的である。フィルタ２４を水洗いした場合の水絞りも、フィルタ圧縮体２５を押してフィルタ２４を圧縮することにより簡単に行うことができる。
【００１８】
図４〜６にフィルタユニット２０の第二の実施形態を示す。図４は正面図、図５は図４のＡ−Ａ断面図である。第一の実施形態と共通する構成要素には前と同じ符号を付し、説明は略す。この実施形態では、ケース２１の後面の通気口２３の外周部に突出縁部はなく、ケース２１が全面的に開口した形になっている。フィルタ圧縮体２５からはケース２１の前面に向かって複数本の支柱２７が延び出す。支柱２７は通気口２２の外周部の突出縁部４５に設けた穴４７を通ってケース２１の外に突き出しており、突き出した部分の先端に抜け止めリング２８が取り付けられている。従って、フィルタ圧縮体２５がケース２１の後面の通気口２３から抜け出してくることはない。
【００１９】
フィルタ２４は通気口２２の外周部の突出縁部４５とフィルタ圧縮体２５との間に圧縮して保持される。フィルタ２４はケース２１の内面形状とほぼ同じ形状の輪郭を有し、フィルタ圧縮体２５の支柱２７に対応する部分には支柱２７を通すための穴ないし切り欠きが設けられている。図６のようにフィルタ圧縮体２５を押せばフィルタ２４は圧縮される。フィルタ圧縮体２５から手を離せば、フィルタ圧縮体２５はフィルタ２４の弾性で図５の位置に復元する。
【００２０】
図７にフィルタユニット２０の第三の実施形態を示す。この実施形態の構成はほぼ第二の実施形態と同様であるが、フィルタ２４以外の弾性手段を設けた点が第二の実施形態と異なる。すなわち、支柱２７の外側に圧縮コイルバネ２９を配置し、その一端はフィルタ圧縮体２５に、他端は突出縁部４５の内面に、それぞれ係合させた。フィルタ圧縮体２５を押せばフィルタ２４と共に圧縮コイルバネ２９も圧縮され、手を離せば圧縮コイルバネ２９はフィルタ２４と共にフィルタ圧縮体２５を復元させる。この圧縮コイルバネ２９の存在により、フィルタ圧縮体２５の復元が迅速化する。これに伴いフィルタ２４の復元も迅速化し、フィルタ２４に含まれる空気、ないし水洗いの場合には水の動きが活発化し、フィルタ２４に含まれた塵埃の分離が促進される。フィルタ２４の前面と後面をそれぞれ突出縁部４５とフィルタ圧縮体２５とに接着等の手段により固定しておけば、圧縮コイルバネ２９の力により、自身の弾性を超える復元力がフィルタ２４に作用することになり、塵埃の分離は一層促進される。
【００２１】
図８〜１１には、本体１０におけるフィルタユニット受け入れ構造の各種実施形態が示されている。これらの図において、フィルタユニット２０として図２、３の実施形態のものが描かれているが、他の実施形態のものも使用可能であることは言うまでもない。さて、図８に示す第一の実施形態では、フィルタユニット２０を配置するためのフィルタ収納室３０を本体１０に形成する。フィルタ収納室３０の上面はフィルタユニット２０を出し入れするための開口部３１となっており、ここに蓋３２が支軸３３を中心に垂直面内で回動可能に取り付けられている。蓋３２の閉鎖状態を維持するため、適切な形式のラッチ装置（図示せず）を設ける。フィルタユニット２０は、シール部材６０でそれぞれ紙製集塵袋１１側と電動送風機１２側に気密封止され、吸い込まれた空気はすべてフィルタ２４を通過して電動送風機１２側へ吸い込まれる。
【００２２】
開口部３１にはフィルタユニット検知装置３５を配置する。フィルタユニット検知装置３５は、フィルタ収納室３０の内壁に支軸３６により垂直面内で回動可能に支持されたＬ字形レバー３７と、フィルタユニット２０から突出し、Ｌ字形レバー３７の短辺に当たってこのレバーを回動させる突片３８を主な構成要素とする。Ｌ字形レバー３７は、図示しないねじりバネにより、その長辺を開口部３１から突き出す角度位置に常時は付勢されている（図８の破線状態）。この状態では蓋３２が完全には閉じず、電気掃除機１を運転しても吸込口１４に吸引力は殆ど発生しない。フィルタユニット２０をフィルタ収納室３０に押し込んで行くと、行程の最後に近づいたところで突片３８がＬ字形レバー３７の短辺に当たり、付勢力に抗してレバーを回動させる。フィルタユニット２０を最後まで押し込んだ時点では、Ｌ字形レバー３７は図８の実線の角度となり、もはや蓋３２を閉じる妨げとはならない。従って、蓋３２をしっかりと閉じ、電気掃除機１の運転を開始するとができる。
【００２３】
図９にはフィルタユニット受け入れ構造の第二の実施形態が示されている。この実施形態では、フィルタ収納室３０の底部の外側に独立した気密室３９を形成し、ここにフィルタユニット検知装置４０を配置した。フィルタユニット検知装置４０は、フィルタユニット検知スイッチ４１と、フィルタユニット２０の底部から突出する突片４２を主な構成要素とする。突片４２は、フィルタユニット２０を完全にフィルタ収納室３０に押し込んだとき、フィルタ収納室３０の底部の穴４３から気密室３９に入り込み、フィルタユニット検知スイッチ４１のアクチュエータ４４を押す。これによりフィルタユニット検知スイッチ４１は、フィルタユニット２０が所定位置に配置されたことを検知する。
【００２４】
図１０に示すように、フィルタユニット検知スイッチ４１は制御装置５０に接続している。制御装置５０にはフィルタユニット検知スイッチ４１の他、電動送風機１２の駆動部５１、電気掃除機１の操作スイッチ５２、電気掃除機運転状態の表示部５３が接続される。操作スイッチ５２は「強、中、弱、切」といった電動送風機１２の運転モード選択を行う。表示部は電動送風機１２の運転モードの他、塵埃の蓄積具合等各種のメッセージを表示する。駆動部５１は電動送風機１２と共に本体１０の内部に設けられる。操作スイッチ５２と表示部５３はホース１５の端に形成されるハンドル部、もしくは本体１０に設けられる。
【００２５】
制御装置５０は、フィルタユニット２０が所定位置にないとき、すなわちフィルタユニット検知スイッチ４１からフィルタユニット２０の存在を検知したという信号が来ないときには次の動作を行う。すなわち▲１▼駆動部５１に対し、電動送風機１２の運転停止指令を出す、▲２▼表示部５３に、フィルタユニット２０が所定位置にない旨の警報を表示させる、である。▲１▼と▲２▼はどちらか一方のみを実行しても良く、両方ともに実行しても良い。また警報は、光の点滅、文字によるメッセージといった視覚的手段のみならず、音声メッセージや振動等、視覚以外の五感に訴える手法も採用でき、あるいはこれらを組み合わせて用いても良い。このように、通常とは異なる状態が発生することにより、電気掃除機１の使用者はフィルタユニット２０がきちんと取り付けられていないことを知り、問題の解決を図る。
【００２６】
図９の実施形態は、図８の実施形態と組み合わせることが可能である。あるいは、図８のＬ字形レバー３７に適宜の形式のフィルタ検知スイッチを組み合わせ、Ｌ字形レバー３７の動きによりフィルタユニット２０の有無の信号を制御装置５０に伝えるようにすることもできる。
【００２７】
図１１に、フィルタユニット受け入れ構造の第三の実施形態を示す。この実施形態では、フィルタユニット２０の前面側と後面側の外面にゴム製のシール部材６０を装着した。シール部材６０はリング状であって、通気口２２、２３を囲む。フィルタユニット２０をフィルタ収納室３０に挿入するとシール部材６０がフィルタ収納室３０の内壁に密着し、フィルタ２４が唯一の空気通路となり、吸い込まれた空気がすべてフィルタ２４を通過することを一層確実なものとする。シール部材６０はフィルタ収納室３０の内壁に固定しておいても良い。この実施形態は図８、９の実施形態と組み合わせて用いることができ、フィルタ収納室３０の蓋３２の密閉度に配慮しなくても、簡単な構造で要所に十分な気密を得ることができる。
【００２８】
以上、本発明の各種実施形態につき説明したが、これらは一例であり、発明の主旨を逸脱しない範囲で更に種々の変更を加えて実施することができる。
【００２９】
【発明の効果】
本発明により、次のような効果が奏される。
▲１▼フィルタがケースに取り出し不能に収納されるので、フィルタなしでケースだけ電気掃除機本体に取り付けられるということがない。フィルタが紛失することもない。
▲２▼ケース内に配置したフィルタ圧縮体を使ってフィルタを圧縮できるので、フィルタが目詰まりした場合、何度か圧縮を繰り返すことによりフィルタに含まれた塵埃をもみ出し、目詰まりを解消することができる。これを水中で行えば、フィルタをケースから出さずに水洗いできる。水洗い後の水切りもフィルタ圧縮体でフィルタを圧縮することにより容易に行うことができ、フィルタの乾燥を早くできる。
▲３▼フィルタユニットが所定位置にない場合、フィルタ収納室の蓋が閉まらないという構造にすることにより、掃除機が使用不可であることを使用者に確実に知らせることができる。
▲４▼フィルタユニットが所定位置にない場合、電動送風機を駆動できないという構成にすることにより、フィルタユニットなしで掃除を行うことによるトラブルを確実に防止できる。
▲５▼フィルタユニットが所定位置にない場合、警報が発せられる構成とすることにより、掃除機が使用不可であることを使用者に確実に知らせることができる。
▲６▼フィルタユニットを所定位置に配置したとき、吸い込まれた空気がすべてフィルタを通過するものとしたから、このフィルタで捕捉すべき塵埃を確実に捕捉できる。
【図面の簡単な説明】
【図１】電気掃除機の概略構成図
【図２】第一実施形態のフィルタユニットの側面断面図
【図３】第一実施形態のフィルタユニットの側面断面図にして、図２とは異なる状態を示すもの
【図４】第二実施形態のフィルタユニットの正面図
【図５】第二実施形態のフィルタユニットの側面断面図
【図６】第二実施形態のフィルタユニットの側面断面図にして、図５とは異なる状態を示すもの
【図７】第三実施形態のフィルタユニットの部分断面図
【図８】フィルタユニット受け入れ構造の第一実施形態を示す掃除機本体の部分断面図
【図９】フィルタユニット受け入れ構造の第二実施形態を示す掃除機本体の部分断面図
【図１０】フィルタユニット受け入れ構造の第二実施形態に関連する電気掃除機制御回路のブロック図
【図１１】フィルタユニット受け入れ構造の第三実施形態を示す掃除機本体の部分断面図
【符号の説明】
１    電気掃除機
１０  本体
１１  紙製集塵袋
１２  電動送風機
１３  排気フィルタ
２０  フィルタユニット
２１  ケース
２２  通気口
２３  通気口
２４  フィルタ
２５  フィルタ圧縮体
２９  圧縮コイルバネ（フィルタ以外の弾性手段）
３０  フィルタ収納室
３２  蓋
３５  フィルタユニット検知装置
３９  気密室
４０  フィルタユニット検知装置
４１  フィルタユニット検知スイッチ
５０  制御装置
５１  電動送風機の駆動部
５３  表示部
６０  シール部材
【図１】
0003563680.tif 000002
【図２】
0003563680.tif 000003
【図３】
0003563680.tif 000004
【図４】
0003563680.tif 000005
【図５】
0003563680.tif 000006
【図６】
0003563680.tif 000007
【図７】
0003563680.tif 000008
【図８】
0003563680.tif 000009
【図９】
0003563680.tif 000010
【図１０】
0003563680.tif 000011
【図１１】
0003563680.tif 000012